(57)【要約】  異常を検出して装置の電源を止め、あるいは駆動を停止するプラズマディスプレイ装置を提供する。  アドレス電極１４を有し、入力された表示データに基づいて表示するパネル部１１と、アドレス駆動回路１７を有する回路部とを備えるプラズマディスプレイ装置において、入力された１又は２以上の表示データからアドレス駆動回路１７のスイッチング回数を演算する手段２と、演算して得られたスイッチング回数からアドレス駆動回路で消費すると予測して予測電流値（予測消費電力値）を算出する手段２と、表示データにより実際にアドレス駆動回路１７にて消費される消費電流値（実消費電力値）を検出する手段３と、予測消費電力値と実消費電力値とを比較し異常であるか判定する手段２とを備える。【特許請求の範囲】
【請求項１】
アドレス電極と、入力された表示データに基づいて前記アドレス電極にアドレスパルスを供給する駆動回路とを有し、表示させるセルを指定するように構成したプラズマディスプレイ装置であって、
前記表示データから、所定期間内に供給される前記アドレスパルス数を計数する演算手段と、
前記演算手段からの計数値から、前記アドレス駆動回路での予測消費電力値を算出する手段と、
前記アドレス駆動回路での実消費電力値を検出する手段と、
前記予測消費電力値と前記実消費電力値とを比較する手段とを有することを特徴とするプラズマディスプレイ装置。
【請求項２】
前記所定期間は、１フィールド期間であることを特徴とする請求項１に記載のプラズマディスプレイ装置。
【請求項３】
前記比較する手段は、前記予測消費電力値と前記実消費電力値との差分値と所定値とのレベル比較を行うように構成したことを特徴とする請求項１に記載のプラズマディスプレイ装置。
【請求項４】
当該装置の電源制御手段を有し、
前記差分値が前記所定値以上の場合には電源を遮断するように制御することを特徴とする請求項３に記載のプラズマディスプレイ装置。
【請求項５】
前記差分値が前記所定値以上の場合には、前記アドレス駆動回路の駆動動作を停止するようにしたことを特徴とする請求項３に記載のプラズマディスプレイ装置。
【請求項６】
前記比較する手段からの比較結果を表示する手段を有することを特徴とする請求項１に記載のプラズマディスプレイ装置。
【請求項７】
前記比較する手段からの比較結果を当該装置の外部に通信する手段を有することを特徴とする請求項１に記載のプラズマディスプレイ装置。
【請求項８】
前記比較する手段は、前記予測消費電力値と前記実消費電力値との差分値と所定値とのレベル比較を行うように構成したことを特徴とする請求項２に記載のプラズマディスプレイ装置。
【請求項９】
当該装置の電源制御手段を有し、
前記差分値が前記所定値以上の場合には電源を遮断するように制御することを特徴とする請求項８に記載のプラズマディスプレイ装置。
【請求項１０】
前記差分値が前記所定値以上の場合には、前記アドレス駆動回路の駆動動作を停止するようにしたことを特徴とする請求項８に記載のプラズマディスプレイ装置。
【請求項１１】
前記比較する手段からの比較結果を表示する手段を有することを特徴とする請求項９に記載のプラズマディスプレイ装置。
【請求項１２】
前記比較する手段からの比較結果を当該装置の外部に通信する手段を有することを特徴とする請求項１０に記載のプラズマディスプレイ装置。
【発明の詳細な説明】
【技術分野】
【０００１】
本発明は、プラズマディスプレイ装置であり、特にアドレス電極などを有し、入力された表示データに基づいて表示するパネル部と、アドレス駆動回路などからなる回路部とを備えるプラズマディスプレイ装置に関する。
【背景技術】
【０００２】
従来、プラズマディスプレイモジュールあるいはプラズマディスプレイ装置におけるサステイン放電の電流に関して、表示率と維持パルス出力回路消費電力は、図６に示すように、ほぼ比例する関係があるため、表示率から消費電力を予測し、実際に検出した電流値と比較して過電流判定を行い異常と判断した場合に保護動作を実施している（特許文献１参照）。【０００３】
また、アドレス電流に関しては、電流検出のみを行い、検出値がある閾値を超えた場合のみ保護動作を実施している。
【特許文献１】特開２０００−１８７４６６号公報
【発明の開示】
【発明が解決しようとする課題】
【０００４】
従来技術では、アドレス電流は表示率ではなく、表示内容によって大きく電流が変化する。すなわち、アドレス駆動回路消費電力は、図７に示すように、例えば全面黒及び１００％全面白では消費電力が少なく、１ラインおき白は消費電力が多くなるが、図３に示すように、表示内容（スイッチング回数）にほぼ比例して増加するため、単純に過電流検出（アドレス電流動回路消費電力の所定値超過）のみで保護動作を行った場合、図５に示すように、過電流保護の閾値を正常動作時の最大電流値より高く設定する必要があり、保護動作領域内となる故障Ｂ点を見つけることは可能であったが、保護動作領域外となる故障Ａ点を見つけることができなかった。【０００５】
そのため、異常時に過電流保護が動作する閾値を超える電流が流れるまで保護動作が動作せず、発煙・発火等を引き起こす原因の一つとなっている。【０００６】
本発明は、上記問題点を解決し、安全性を向上させたプラズマディスプレイ装置を提供することを目的としている。
【課題を解決するための手段】
【０００７】
本発明は、入力された表示データから、アドレスパルス数或いはアドレス駆動回路のスイッチング回数を演算し、アドレス電流及び消費電力値を予測する。そして、実際に検出した電流値（又は実消費電力値）と予測した電流値（又は予測消費電力値）の比較を行い、所定値以上の差を検出した場合には、異常と判断して電源や駆動を停止させる。【０００８】
すなわち、本発明は、アドレス電極と、入力された表示データに基づいて前記アドレス電極にアドレスパルスを供給する駆動回路とを有し、表示させるセルを指定するように構成したプラズマディスプレイ装置であって、前記表示データから、所定期間内に供給される前記アドレスパルス数を計数する演算手段と、前記演算手段からの計数値から、前記アドレス駆動回路での予測消費電力値を算出する手段と、前記アドレス駆動回路での実消費電力値を検出する手段と、前記予測消費電力値と前記実消費電力値とを比較する手段とを有することを特徴とするプラズマディスプレイ装置である。
【発明の効果】
【０００９】
本発明によれば、異常状態の検出が早くなり発煙・発火を防ぎ、安全性を向上させたプラズマディスプレイ装置を得ることができる。
【図面の簡単な説明】
【００１０】
【図１】図１は、第１の実施例のプラズマディスプレイ装置のブロック図である。
【図２】図２は、第１の実施例のプラズマディスプレイ装置の回路の説明図である。
【図３】図３は、プラズマディスプレイ装置におけるアドレス駆動回路スイッチング回数と消費電力の相関説明図である。
【図４】図４は、第１の実施例における保護動作領域の説明図である。
【図５】図５は、従来のプラズマディスプレイ装置における保護動作領域の説明図である。
【図６】図６は、表示率と維持パルス出力回路消費電力の相関説明図である。
【図７】図７は、表示率とアドレス駆動回路消費電力の相関説明図である。
【符号の説明】
【００１１】
１  アドレス駆動回路スイッチング演算回路
２  マイコン
３  電流検出回路
４  パネル駆動回路
５  駆動制御回路
６  電源
１１  表示パネル
１２  維持電極
１３  走査・維持電極
１４  アドレス電極
１５  維持パルス出力回路
１６  走査・維持パルス出力回路
１７  アドレス駆動回路
１８  信号処理・駆動制御回路
【発明の実施するための最良の形態】
【００１２】
本発明を実施するための最良の形態を説明する。
本発明のプラズマディスプレイ装置の実施例について、図面を用いて説明する。
【実施例１】
【００１３】
実施例１を説明する。図１は、本実施例のプラズマディスプレイ装置のブロック図である。ブロック図において、１はアドレス駆動回路のスイッチング回数演算回路、２はマイクロコンピュータ（以下、「マイコン」という。）、３は電流検出回路、４はパネル駆動回路、５は駆動制御回路、６は電源回路である。【００１４】
図１において、スイッチング回数演算回路１は、入力された表示すべき映像データから、アドレス電極に供給するアドレスパルス数、或いはアドレス駆動回路でのスイッチング回数を、例えば１フィールド期間毎に計数する。そして、例えば図３に示す関係に従って、演算或いはテーブルにより、予測消費電力値を算出する。同時に、電流検出回路３により、パネル駆動回路４のうちのアドレス駆動回路の駆動電流値を検出し、実消費電力値を得る。また、駆動制御回路５は、マイコン２からの指令に従ってパネル駆動回路４の動作を制御する。電源回路６は、プラズマディスプレイ装置の各々の処理回路部に電源電圧を供給する。
ここで、マイコン２は、スイッチング回数演算回路１からの予測消費電力値と、電流検出回路３からの実消費電力値との比較を行う。例えば、予測消費電力値と実消費電力値との差分値と、所定値との比較を行い、差分値が所定値よりも大きい場合には異常と判定する。【００１５】
図２は、本実施例のプラズマディスプレイ装置の回路の説明図である。表示パネル１１の維持電極１２、走査・維持電極１３及びアドレス電極１４に対し、維持電極パルス出力回路１５、走査・維持パルス出力回路１６、アドレス駆動回路１７、及びマイコン２や駆動制御回路５を含む信号処理・駆動制御回路１８を有しており、入力された映像信号に応じて、各電極に出力する。【００１６】
アドレス駆動回路１７の消費電力は、アドレス駆動回路１７のスイッチング回数の増加に対し、ほぼ一次関数として増加する。したがって、入力された表示すべき映像信号からアドレス駆動回路１７からアドレス電極１４へ供給されるアドレスパルスを係数、或いはアドレス駆動回路１７のスイッチング回数を演算し、予測電力値を算出し、得られた予測電力値と実測して得られるアドレス駆動回路１７の消費電力値とを比較する。そして、所定の範囲を超えて相違するとき、例えば、比較結果が図４に示す保護動作領域内であれば、異常と判定する。この判定はマイコン２で行われ、異常と判定した場合には電源６を遮断して、各処理回路への電圧供給を停止させる。また、駆動制御回路５を介して、アドレス駆動回路１７を停止させるように制御してもよい。【００１７】
また、プラズマディスプレイ装置の前面部に、ＬＥＤ等の表示手段を設置し、マイコン２からの予測消費電力値と実消費電力値との比較結果を表示するように構成する。この構成により、プラズマディスプレイ装置の視聴者が装置の異常を認知することが可能となる。
更には、Ｉ２Ｃバス、ＲＳ２３２ＣやＵＳＢ等のケーブルによる、外部機器との通信手段を有するように構成する。この構成により、プラズマディスプレイ装置の保守点検を効率良く行うことが可能となる。【００１８】
なお、上記実施例において、維持電極、走査・維持電極及びアドレス電極を有するプラズマディスプレイ装置で本発明を説明したが、アドレス電極を有する他の形式のプラズマディスプレイ装置でも、本発明は実施可能である。
【産業上の利用可能性】
【００１９】
異常状態の検出が早くなり、発煙・発火を防ぐことが可能なプラズマディスプレイ装置を得ることができる。
【図１】
2007004304.tif 000002
【図２】
2007004304.tif 000003
【図３】
2007004304.tif 000004
【図４】
2007004304.tif 000005
【図５】
2007004304.tif 000006
【図６】
2007004304.tif 000007
【図７】
2007004304.tif 000008
【手続補正書】
【提出日】平成19年6月15日(2007.6.15)
【手続補正１】
【補正対象書類名】明細書
【補正対象項目名】０００４
【補正方法】変更
【補正の内容】
【０００４】
従来技術では、アドレス電流は表示率ではなく、表示内容によって大きく電流が変化する。すなわち、アドレス駆動回路消費電力は、図７に示すように、例えば全面黒及び１００％全面白では消費電力が少なく、１ラインおき白は消費電力が多くなるが、図３に示すように、表示内容（スイッチング回数）にほぼ比例して増加するため、単純に過電流検出（アドレス電流駆動回路消費電力の所定値超過）のみで保護動作を行った場合、図５に示すように、過電流保護の閾値を正常動作時の最大電流値より高く設定する必要があり、保護動作領域内となる故障Ｂ点を見つけることは可能であったが、保護動作領域外となる故障Ａ点を見つけることができなかった。
【手続補正２】
【補正対象書類名】明細書
【補正対象項目名】００１６
【補正方法】変更
【補正の内容】
【００１６】
アドレス駆動回路１７の消費電力は、アドレス駆動回路１７のスイッチング回数の増加に対し、ほぼ一次関数として増加する。したがって、入力された表示すべき映像信号からアドレス駆動回路１７からアドレス電極１４へ供給されるアドレスパルスの係数、或いはアドレス駆動回路１７のスイッチング回数を演算し、予測電力値を算出し、得られた予測電力値と実測して得られるアドレス駆動回路１７の消費電力値とを比較する。そして、所定の範囲を超えて相違するとき、例えば、比較結果が図４に示す保護動作領域内であれば、異常と判定する。この判定はマイコン２で行われ、異常と判定した場合には電源６を遮断して、各処理回路への電圧供給を停止させる。また、駆動制御回路５を介して、アドレス駆動回路１７を停止させるように制御してもよい。
【国際調査報告】
2007004304.tif 000009
2007004304.tif 000010
2007004304.tif 000011
2007004304.tif 000012